(57)【要約】【課題】  照明器具によって醸し出される店内や居住空間のインテリア性を容易にかつ安価に変化させることを可能にする。インテリア性を変化させるときには包装紙などによって構成される装飾シートだけを交換するようにする。【解決手段】  電球３を覆うセード４を、透光性を有するコア５と、このコア５の外側に嵌脱可能な透光性を有するカバー６と、コア５とそのコア５に嵌合されたカバー６との間に挟み込まれる透光性を有する装飾シート７とを備える。コア５を電気コード１によって天井から吊り下げてもよい。コア５の下端の張出部５３でカバー６を支持させる。装飾シート７には絵柄などの施された紙、たとえば包装紙を使用することが可能である。【選択図】        図１
0003122315.tif 000002
【実用新案登録請求の範囲】
【請求項１】
光源を覆うセードが、透光性を有するコアと、このコアの外側に嵌脱可能な透光性を有するカバーと、上記コアとそのコアに嵌合された上記カバーとの間に挟み込まれる透光性を有する装飾シートと、を備えることを特徴とする照明器具。
【請求項２】
上記コアが、天井から上記光源を吊り下げている電気コードにより吊り下げられ、その電気コードが上記カバーの頂部に開設された開口に挿通されていると共に、上記コアの外側に嵌合された上記カバーがそのコアによって支持されている請求項１に記載した照明器具。
【請求項３】
上記コアの下端に具備された張出部にそのコアの外側に嵌合された上記カバーが載架されることによって上記カバーが上記コアにより支持されている請求項２に記載した照明器具。
【請求項４】
上記装飾シートが、上記コアとそのコアに嵌合された上記カバーとの間に挟み込むことのできる形状に保形された絵柄などの施された紙でなる請求項１ないし請求項３のいずれか１項に記載した照明器具。
【考案の詳細な説明】
【技術分野】
【０００１】
本考案は、照明器具、特に、買物客や通行人の目に触れる店内などを装飾したり、住宅居住空間を装飾したりするための対策を講じた照明器具に関する。
【背景技術】
【０００２】
パン類や菓子類、その他の商品を販売する店内を、インテリア性を高める装飾の施された照明器具によって照明することは従来より多々行われていて、そのような照明器具の１つに、電球などの光源を覆うセードのデザインに趣向を凝らしたものがある（たとえば、特許文献１参照）。また、照明器具の設置方法として天井から吊り下げた電気コードによって光源とセードとを支えるという方式を採用することによって、余分な吊下げ用紐などを省略することが一般的に採用されている。
【０００３】
【特許文献１】特開平１０−１６２６２４号公報
【特許文献２】特開２０００−３３１５２８号公報
【考案の開示】
【考案が解決しようとする課題】
【０００４】
しかしながら、特許文献１によって提案されているようなセードを用いる照明器具では、たとえば照明器具によって店内のインテリア性を変化させたいときには、セードを今までものとは異なるデザインのものに取り替えることを余儀なくされるために、今までに使っていたセードを使用することができなくなって不経済であると共にその処分にも特別の配慮が必要になるという不便がある。
【０００５】
本考案は以上の状況や問題などに鑑みてなされたものであり、照明器具によって醸し出される店内や居住空間のインテリア性を容易に変化させることが可能であり、そのようにインテリア性を変化させる場合でも、今までに使っていたセード自体を廃棄して新品のセードを用いるという必要性を無くすることによって当該照明器具についての経済性やその処分時の取扱性を改善することのできる照明器具を提供することを目的とする。
【課題を解決するための手段】
【０００６】
本考案に係る照明器具は、光源を覆うセードが、透光性を有するコアと、このコアに外側で嵌脱可能な透光性を有するカバーと、上記コアとそのコアの外側に嵌合された上記カバーとの間に挟み込まれる透光性を有する装飾シートと、を備えている。
【０００７】
この考案によれば、コアの外側にカバーを嵌合してそれらの間に装飾シートを挟み込んで光源を点灯すると、その光源の光がコアと装飾シートとカバーとを透過して室内を照明し、併せて、装飾シートによる装飾性によってインテリア性が高められる。また、カバーがコアに外側で嵌脱可能であって、装飾シートがコアとそのコアの外側に嵌合されたカバーとの間に挟み込まれるという構成を採用したので、カバーをコアから離脱させることによって装飾シートを交換することができる。そのため、このことを利用することより、装飾シートを異なる装飾作用を発揮するものに交換するだけで、コアやカバーを取り替えずに照明器具によるインテリア性を変化させることが可能になる。したがって、たとえば店内や居住空間のインテリア性を変化させたいときには、装飾シートだけを取り替えれば済み、コアやカバーを廃棄したりする必要がない。
【０００８】
本考案では、上記コアが、天井から上記光源を吊り下げている電気コードにより吊り下げられ、その電気コードが上記カバーの頂部に開設された開口に挿通されていると共に、上記コアの外側に嵌合された上記カバーがそのコアによって支持されている、という構成を採用することができ、これによれば、当該照明器具を天井吊下げ式とする場合に、コアについては勿論、カバーについても余分な吊下げ用紐を用いる必要がなくなる。
【０００９】
本考案では、上記コアの下端に具備された張出部にそのコアの外側に嵌合された上記カバーが載架されることによって上記カバーが上記コアにより支持されていることが望ましい。この構成を採用した照明器具では、たとえばコアやカバーの形状を中空円錐形状などとした場合に、コアとそのコアの外側に嵌合したカバーとの隙間の広さが張出部によるカバーの支持位置によって定まる。したがって、両者相互の隙間があらかじめ比較的広くなるように張出部によるカバーの支持位置を定めておくだけで、その隙間に厚さの異なる装飾シートを挟み込むことが可能になるという利便性が得られる。
【００１０】
本考案では、上記装飾シートが、上記コアとそのコアに嵌合された上記カバーとの間に挟み込むことのできる形状に保形された絵柄などの施された紙でなる、という構成を採用することが可能である。これによれば、装飾シートをきわめて安価に入手することが容易になるだけでなく、たとえば当該照明器具を設置する店の屋号やキャッチフレーズなどの絵柄や文字などを描いた紙を装飾シートとして採用したり、あるいは、その店が商品に使用する包装紙を装飾シートとして採用したりすることができるようになるという利便性がある。しかも、装飾シートに紙を用いると、装飾シートを変更するときに、今まで使っていた装飾シートの廃棄処分がきわめて容易になるという利点も得られる。
【考案の効果】
【００１１】
以上のように、本考案によれば、、照明器具によって醸し出される店内や居住空間のインテリア性を容易にかつ安価に変化させることが可能であり、そのようにインテリア性を変化させるときには包装紙などによって構成される装飾シートだけを交換すればよいので、今までに使っていたコアやカバーを廃棄して新品のセードを用いるという必要性が無くなって当該照明器具についての経済性やその処分時の取扱性が改善される。したがって、ユーザにとっては手軽に照明器具による店内のインテリア性を変化させることができるという卓越した効果が得られる。
【考案を実施するための最良の形態】
【００１２】
図１は本考案の実施形態に係る照明器具の使用状態を示した縦断面図、図２Ａは図１の照明器具に用いられる装飾シートの展開図、図２Ｂは同装飾シートの保形状態を示した斜視図である。
【００１３】
この実施形態の照明器具は天井吊下げ式であって、天井付けコンセント１００に接続された電気コード１によってその重量が支えられている。また、この照明器具は、電気コード１に接続されたソケット２に装着された光源としての電球３と、この電球３を覆う下端開放の円筒型セード４とを備えている。
【００１４】
セード４は、円筒形の透光性樹脂成形体でなるコア５と、このコアの外側に嵌合された円筒形の透光性樹脂成形体でなるカバー６と、コア５とそのコア５の外側に嵌合されたカバー６との間に挟み込まれた透光性を有する装飾シート７とを備えている。そして、コア５やカバー６は、平坦な円形の頂板部５１，６１を備えていて、コア５の頂板部５１の中央部に開設されている孔部５２が、電気コード１に、ソケット２に固着されている止め具８を介して滑り落ちないように連結されている。止め具１２には種々の構成を採用することが可能であり、図示例の止め具１２は、ソケット２に装着されて上記頂板部５１の孔部５２に挿通されたねじ付きスリーブ８１と、そのスリーブ８１の外ねじにねじ込まれて上記頂板部５１を挟み付けている２つのナット体８２とによって構成されている。
【００１５】
カバー６の内周直径はコア５の外周直径よりも寸法ａだけ大きく定められている。この寸法ａは、コア５とその外側に嵌合されたカバー６との間に挟み込まれる装飾シート７の厚さを考慮して定められていて、交換する予定のある装飾シート７の厚さが異なる場合には、厚い装飾シート７を挟み込めるだけの長さに定められる。また、コア５の開口端である下端には張出部５３が備わり、コア５の外側に嵌合されたカバー６がこの張出部５３の上に載架された状態でコア５によって支持されている。そして、カバー６をその張出部５３に支持させていることによって、カバー６の頂板部６１がコア５の頂板部５１との間の隙間空間を形成するようにし、その隙間空間に、コア５の頂板部５１の上方に突き出た上記止め具８を収容させてある。ここで、張出部５３は、コア５の下端の周方向の１箇所又は複数箇所に具備された突起によって形成することもできるが、図例では、この張出部５３を円環状に形成することによって、その張出部５３にカバー６の下端縁を見えないようにする目隠し用縁枠の役目を持たせてある。
【００１６】
カバー６の頂板部６１の中央には電気コード１が挿通された開口６２が開設されているしたがって、カバー６をコア５の外側に嵌合させるときには、たとえば、天井付きコンセント１００に電気コード１を接続する前にその電気コード１をカバー６の上記開口６２に挿通させておく。また、カバー６は、図１矢印Ｆのようにコア５の頂板部５１側からそのコア５に対しスライドさせて嵌合する。この場合、装飾シート７は、コア５の外周面側に装備させておいても、カバー６の内周面側に装備させておいてもよい。
【００１７】
この照明器具において、電球３を点灯すると、その光が、コア５と装飾シート７とカバー６とを透過すると共に、コア５の下端開口からも出る。そのため、室内が照明されることとを併せて、装飾シート７による装飾性によってインテリア性が高められる。
【００１８】
この実施形態において、装飾シート７は、図２Ａのような展開状態で矩形の装飾シート７を図２Ｂのように円筒形に保形することによって構成されている。また、図例では、展開状態での装飾シート７の一端部に貼付け代７１を具備させておき、円筒形に丸めた装飾シート７の他端部にその貼付け代７１を貼着したり重ね合わせたりすることによって円筒形に保形してある。円筒形に保形された装飾シート７の直径は、その装飾シート７が図１に示したコア５とそのコア５の外側に嵌合したカバー６との間の隙間に嵌まる寸法に定められる。
【００１９】
装飾シート７には、たとえば、ユーザである店のロゴや販売商品の商品名、その他の文字や絵柄などをあしらって装飾性を持たせた紙や樹脂シートなどを好適に用い得る。具体的には、その店の商品に用いる包装紙を必要な大きさに切り取ったものを円筒形に保形して使用することが可能であり、そのようにすると、商品の包装と当該照明器具によって表現される装飾性との一体感が得られるだけでなく、装飾シート７を安価にかつ容易に入手することができるという利点がある。
【００２０】
当該照明器具によるインテリア性を変化させたいときには、コア５からカバー６を抜き出して装飾シート７を異なるデザインのものに取り替えるだけで済み、それまでに使っていた装飾シート７は取り去って一般ごみと一緒に処分すればよい。
【００２１】
図３は本考案の他の実施形態に係る照明器具の使用状態を示した縦断面図、図４Ａは図３の照明器具に用いられる装飾シートの展開図、図４Ｂは同装飾シートの保形状態を示した斜視図である。
【００２２】
この実施形態の照明器具が天井吊下げ式であり、天井付けコンセント１００に接続された電気コード１によってその重量が支えられている点、この照明器具が、電気コード１に接続されたソケット２に装着された光源としての電球３と、この電球３を覆う下端開放の円筒型セード４とを備えていて、セード４が、透光性樹脂成形体でなるコア５と、このコアの外側に嵌合された透光性樹脂成形体でなるカバー６と、コア５とそのコア５の外側に嵌合されたカバー６との間に挟み込まれた透光性を有する装飾シート７とを備えている点、などは図１を参照して説明した照明器具と同様である。また、コア５やカバー６が平坦な円形の頂板部５１，６１を有する中空円錐形に形成されている点でも図１を参照して説明した照明器具と同様である。さらに、コア５の頂板部５１の中央部に開設されている孔部５２が、電気コード１に、ソケット２に固着されている止め具８を介して滑り落ちないように連結されている点、カバー６の頂板部６１の中央に電気コード１が挿通された開口６２が開設されている点なども図１を参照して説明した照明器具と同様である。なお、止め具１２には図１を参照して説明したものと同様の構成のものが採用されている。
【００２３】
しかし、この照明器具では、コア５やカバー６が平坦な円形の上記頂板部５１，６１を有する中空円錐形に形成されている点で、図１を参照して説明した照明器具と相違している。
【００２４】
この照明器具において、カバー６をコア５の外側に嵌合させるときには、たとえば、天井付きコンセント１００に電気コード１を接続する前にその電気コード１をカバー６の上記開口６２に挿通させておく。また、カバー６は、図３矢印Ｆのようにコア５の頂板部５１側からそのコア５に被せて嵌合される。この場合、装飾シート７は、コア５の外周面側に装備させておいても、カバー６の内周面側に装備させておいてもよい。
【００２５】
この実施形態では、コア５の外周面の傾斜角度とカバー６の内周面の傾斜角度とは同一の大きさに定められている。そして、コア５の開口端である下端に張出部５３が備わり、コア５の外側に嵌合されたカバー６がこの張出部５３の上に載架された状態でコア５によって支持されている。そして、このように、カバー６をその張出部５３に支持させることによって、円錐形のコア５と円錐形のカバー６との間に、上記した装飾シート７を挟み込むための寸法ａの隙間が形成されるようにしてある。したがって、張出部５３の肉厚を厚くするなどしてその張出部５３によるカバー６の支持位置を上位に定めることによって、上記隙間ａが拡がって厚さの厚い装飾シート７を挟み込むことができる。また、カバー６の頂板部６１とコア５の頂板部５１との間の隙間空間、すなわちコア５の頂板部５１の上方に突き出た止め具８を収容させるための隙間空間の広さも、張出部５３の肉厚を厚くするなどしてその張出部５３によるカバー６の支持位置を上位に定めることによって広くなる。ここで、張出部５３は、コア５の下端の周方向の１箇所又は複数箇所に具備された突起によって形成することもできるが、図例では、この張出部５３を円環状に形成することによって、その張出部５３にカバー６の下端縁を見えないようにする目隠し用縁枠の役目を持たせてある点は、図１を参照して説明したものと同様である。
【００２６】
この照明器具においても、電球３の光が、コア５と装飾シート７とカバー６とを透過すると共に、コア５の下端開口からも出る。そのため、室内が照明されることと併せて、装飾シート７による装飾性によってインテリア性が高められる。
【００２７】
この実施形態において、装飾シート７は、図４Ａのような展開状態で扇形の装飾シート７を図４Ｂのように円錐形に保形することによって構成されている。また、図例では、展開状態での装飾シート７の周方向一端部に貼付け代７１を具備させておき、円錐形に丸めた装飾シート７の他端部にその貼付け代７１を貼着したり重ね合わせたりすることによって円筒形に保形してある。円筒形に保形された装飾シート７の形状やサイズは、その装飾シート７が図３に示したコア５とそのコア５の外側に嵌合したカバー６との間の隙間に嵌まる寸法に定められる。
【００２８】
この実施形態においても、装飾シート７には、ユーザである店のロゴや販売商品の商品名、その他の文字や絵柄などをあしらって装飾性を持たせた紙や樹脂シートなどを好適に用い得るし、たとえば、その店の商品に用いる包装紙を必要な大きさに切り取ったものを円錐形に保形して使用することによって、商品の包装と当該照明器具によって表現される装飾性との一体感が得られたり、装飾シート７を安価にかつ容易に入手したりすることができるという利点がある。また、当該照明器具によるインテリア性を変化させたいときには、コア５からカバー６を抜き出して装飾シート７を異なるデザインのものに取り替えるだけで済み、それまでに使っていた装飾シート７は取り去って一般ごみと一緒に処分すればよい。
【００２９】
本考案に係る照明器具において、コア５やカバー６、装飾シート７などによって形成されるセード４の形状は、図１に示した円筒形や図３に示した円錐形に限定されないことは勿論であり、たとえは、球形、繭形、方形、その他の任意の形状に定め得る。また、装飾シート７は、コア５の外周面の全体を覆うものでなく、一部だけを覆うものであってもよい。さらに、装飾シート７には、包装紙などの紙のほか、樹脂フィルムなどを用いることも可能である。さらに、上記した各実施形態では、セード４や電球３などを天井付きコンセント１００に接続した電気コード１に吊り下げてあるけれども、本考案に係る照明器具は、セード４を電球３とは別に天井から吊り下げたり壁に取付け具を介して設置するものであってもよい。
【００３０】
なお、図１、図２Ａ、図２Ｂ、図３、図４Ａ、図４Ｂでは、説明を簡略化し、内容の理解を容易にするために、同一又は相応する部分に同一符号を付してある。
【図面の簡単な説明】
【００３１】
【図１】本考案の実施形態に係る照明器具の使用状態を示した縦断面図である。
【図２Ａ】図１の照明器具に用いられる装飾シートの展開図である。
【図２Ｂ】同装飾シートの保形状態を示した斜視図である。
【図３】本考案の他の実施形態に係る照明器具の使用状態を示した縦断面図である。
【図４Ａ】図３の照明器具に用いられる装飾シートの展開図である。
【図４Ｂ】同装飾シートの保形状態を示した斜視図である。
【符号の説明】
【００３２】
１  電気コード
３  電球（光源）
４  セード
５  コア
６  カバー
７  装飾シート
５３  張出部
６１  カバーの頂板部（カバーの頂部）
６２  開口
【図１】
0003122315.tif 000003
【図２Ａ】
0003122315.tif 000004
【図２Ｂ】
0003122315.tif 000005
【図３】
0003122315.tif 000006
【図４Ａ】
0003122315.tif 000007
【図４Ｂ】
0003122315.tif 000008